(57)【要約】【課題】  防水機能を簡単な構造で確保できる屋外形配電盤を提供する。【解決手段】  箱体の正面側の開口部の両側に観音開き式の扉を備えた屋外形配電盤において、前記開口部を囲んで設けられ、前記扉を閉めたときに、左右の扉の重なり合う部分を、後面側を幅広とした台形の凹部とした扉樋を設け、他方の扉には前記扉樋と係合する先端折曲げ部をさらに扉内側に折曲げして、扉表面と平行にしたフランジ部を設けた構成とする。これにより、箱体凹部に合致したパッキングを貼着する必要もなく、薄板パッキングのみで防水機能が向上する。【選択図】        図１
2008236872.tif 000002
【特許請求の範囲】
【請求項１】
箱体の正面側の開口部の両側に観音開き式の扉を備えた屋外形配電盤において、
前記開口部を囲んで設けられ、前記扉を閉めたときに、左右の扉の重なり合う部分を、後面側を幅広とした台形の凹部とした扉樋を設け、他方の扉には前記扉樋と係合する先端折曲げ部をさらに扉内側に折曲げして、扉表面と平行にしたフランジ部を設けたことを特徴とする屋外形配電盤。
【請求項２】
前記上水切り及び下水切りが囲む部分の箱体樋は、全周同一の形状をしていることを特徴とする請求項1記載の屋外形配電盤。
【請求項３】
前記上水切りと縦水切り樋は、コ字状に形成されるとともに、上下に傾斜面を有することを特徴とする請求項１又は２記載の屋外形配電盤。
屋外形配電箱。
【発明の詳細な説明】
【技術分野】
【０００１】
本発明は、箱体と観音開き式の扉との間に防水機能を備える屋外形配電盤に関するものである。
【背景技術】
【０００２】
図４は、観音開き式の扉を備えた従来の屋外形配電盤を示す正面図、図５は、図４におけるＡ−Ａ線に沿う断面図、図６は、図５におけるパッキン部周辺を示す要部の平断面図である。
図４において、１は屋外形配電盤、２は前記屋外形配電盤１の箱体、３は前記箱体２の正面側に取り付けられる左側扉、４は同じく前記箱体２の正面側に取り付けられる右側扉、５は前記箱体２の下部側に設けられるチャンネルベースである。屋外形配電盤の場合は、雨水が配電盤の内部に浸入しないように、図５に示すように、開口部にパッキングを設けている。
図５において、１５は箱体、５は開口部を囲んで設けられた側樋、６は開口部の略中央に凹部とした狭め樋を有し、何れも筐体１５と一体に形成されている。箱体樋５と凹部狭め樋６のフランジ部にはゴムパッド７が貼着され、閉じられた左側扉１と右扉２の裏面に当接して雨水の浸入を防止している。８は扉用の丁番である。
【０００３】
図４におけるＡ−Ａ断面矢視図は、左側扉１と右側扉２を閉じると扉の先端のフランジ部が重なり合うようになっている。すなわち、左側扉の先端折り曲げ部をさらに外側にＬ状に折曲げしたフランジ部１１と、右側扉２の先端折り曲げしたフランジ部１２を形成し、左側扉１を閉じた後、右側扉２を閉じることによって両側のフランジ部１１と１２が重なり合う。さらに、箱体凹部６には図５に示すゴムパッド７が取付けられている（例えば、特許文献１参照）。
【特許文献１】実開昭５７−７８２０４号公報
【発明の開示】
【発明が解決しようとする課題】
【０００４】
前記の従来例では、箱体の前面開口部全周に箱体樋を形成し、箱体樋の上下の略中央部にその都度、凹部を形成しなければならない。従って、配電盤の製作途中に仕様が変更されて観音扉が指定されると筐体と扉を作り直さなければならなくなる。
【０００５】
本発明は、このような問題を解決するためになされたもので、防水機能を簡単な構造で確保できる屋外形配電盤を提供することを目的とする。
【課題を解決するための手段】
【０００６】
上記発明を解決するため、本発明は、次のように構成したものである。
請求項１に記載の発明は、箱体の正面側の開口部の両側に観音開き式の扉を備えた屋外形配電盤において、前記開口部を囲んで設けられ、前記扉を閉めたときに、左右の扉の重なり合う部分を、後面側を幅広とした台形の凹部とした扉樋を設け、他方の扉には前記扉樋と係合する先端折曲げ部をさらに扉内側に折曲げして、扉表面と平行にしたフランジ部を設けたことを特徴とするものである。
請求項２に記載の発明は、前記上水切り及び下水切りが囲む部分の箱体樋を、全周同一の形状をしたことを特徴とするものである。
請求項３に記載の発明は、前記上水切りと縦水切り樋を、コ字状に形成するとともに、排水を良くするために、上下に傾斜面を設けたことを特徴とするものである。
【発明の効果】
【０００７】
本発明によれば、次のような効果がある。
請求項１に記載の発明によれば、箱体の前面開口部全周に箱体樋を形成し、箱体樋とパッキングを用いて構成することにより、片開き扉でも観音扉の何れにも対応することができる。
請求項２に記載の発明によれば、従来例の箱体樋上下凹部が省かれたことにより、箱体凹部に合致したパッキングを貼着する必要がなく、市販されている薄板パッキングのみでよく、部材の種類を増やすことなく防水機能が簡単な構造で向上する。
請求項３に記載の発明によれば、排水性を良好にすることができる。
【発明を実施するための最良の形態】
【０００８】
以下、本発明の実施例を図に基づいて説明する。
【実施例１】
【０００９】
図１から図３は、本発明の一実施例を示す図で、図１は要部を示す平面断面図、図２は要部斜視図、図３は側断面図である。なお、図４ないし図６と同一部分には同一符号を付して説明を省略する。
【００１０】
実施例の特徴的な構造として、扉を閉じた状態で、左側扉１に上水切り９及び縦水切り１０が傾斜面を持たせた樋で形成され、右側扉２は左側扉１に対向する面に対向側板１４が左側扉の扉樋に合わせた傾斜でカットされ、さらに先端部分をコ字状に折曲げ、扉表面と平行なフランジ部を持っている。前記上水切り９は上樋４の上方と前面と下方を囲む台形凹字状をなす（下水切りは図示省略）。前記縦水切り１０は、上水切り９に連続して下部まで延設され前面方向に開口する断面コ字状をなし、この縦水切り１０の端板１３は上水切り９の前面まで延設される。対向側板１４はコ字状の縦水切り１０に食い込み、上水切り９の前面まで延設される。
【００１１】
このような構造によれば、扉を閉じた状態で左側扉１の上水切り９は上樋４を囲むから左側扉１の上水切り９に降りかかる水などは上樋４に流れ込み、箱体１の中に浸入しない。また、左側扉１の上水切り９に連続する縦水切り（扉樋）１０に、右側扉２の対向側板１４が食い込むから、扉合わせ目の隙間に降りかかる水などは箱体１の中に浸入しない。
【００１２】
本発明が従来技術と異なる部分は、開口部略中央部に設けられていた凹部が省かれたことにより、雨水の排水通路を狭めることなく、塵埃が溜まると雨水が溢れることもなくなる点である。これにより凹部製缶作業が容易になる。
【図面の簡単な説明】
【００１３】
【図１】本発明の実施例における屋外型配電盤の要部を示す平断面図である。
【図２】図１における観音開き式扉の要部示す斜視図である。
【図３】図１における観音開き式扉の要部示す側断面図である。
【図４】観音開き扉を備えた配電盤の正面図である。
【図５】従来の屋外形配電盤の要部断面平面図である。
【図６】凹部フランジ部に取付けられたゴムパッドを示す部分平断面図である。
【符号の説明】
【００１４】
１    左側扉
２    右側扉
３    チャンネルベース
４    上樋
５    側樋
６    狭め樋
７    ゴムパッド
８    丁番
９    上水切り
１０  縦水切り
１１  左側扉先端のフランジ部
１２  右側扉先端のフランジ部
１３  端板
１４  対向側板
１５  箱体
【図１】
2008236872.tif 000003
【図２】
2008236872.tif 000004
【図３】
2008236872.tif 000005
【図４】
2008236872.tif 000006
【図５】
2008236872.tif 000007
【図６】
2008236872.tif 000008